(57)【要約】【目的】開封刃から容易に取り外すことができ、注出孔の位置に正確に注出口栓が配設しなくても機能に沿って開封ができ、包装材料の製造、容器の包装充填、容器への注出口栓の接合工程において、安定した高い稼働率で、製造することができる注出口栓及び液体用包装容器を提供することを目的とする。【構成】注出口栓は、キャップに、開封刃に回転力を伝動する第１係合フィンを、キャップの天板下面から垂直に設け、開封刃に、円筒部と円筒部の下方中心に設けらる突起刃とテーパー部とを備え、開封刃の円筒部の内周面に上下垂直に、第２係合フィンを設け、テーパー部は急斜面及び緩斜面を有し、注出孔の直径がスパウト注出筒の内径より小さいように構成したものである。【選択図】　　　　図１
2004067195.tif 000002
【特許請求の範囲】
【請求項１】
破断可能な封止フィルムで封止された液体用紙容器の注出孔に設けられ、注出筒と基部とからなるスパウトと、該スパウトを覆うキャップと、該スパウトに内蔵され、該キャップの螺旋状上下運動に連動して螺旋状に下上運動する開封刃と、からなる注出口栓であって、
前記キャップには、前記開封刃に回転力を伝動する複数の第１係合フィンが、前記キャップの天板下面から実質的に垂直に設けられ、
前記キャップの内周面と前記スパウトの注出筒の外周面とに、該キャップをその開閉時に螺旋状に上下させる螺合部がそれぞれ設けられ、
前記開封刃には、前記スパウトの注出筒の内周面に設けられた螺合部と螺合して、該キャップの螺旋状上下運動に連動して螺旋状に下上運動する螺合部を外周面に有する円筒部と、該円筒部の下方中心に設けらる突起刃と、該円筒部下縁端から該突起刃を支持しかつ液体用貫通孔を有するテーパー部とを備え、
前記開封刃の円筒部の内周面に上下垂直に、前記キャップの係合フィンと、前記キャップの螺旋状上運動時に係合して回転力を該キャップから該開封刃に伝動し、該キャップの螺旋状下運動時に確実に係合しない第２係合フィンが設けられ、前記テーパー部は、連続的若しくは不連続的に、前記キャップ円筒部下縁端から該突起刃にわたり、急斜面及び緩斜面を有する
ことを特徴とする注出口栓。
【請求項２】
破断可能な封止フィルムで封止された注出孔を頂部に有し、該注出孔に設けられ注出筒と基部とからなるスパウトと該スパウトを覆うキャップと該スパウトに内蔵され該キャップの螺旋状上下運動に連動して螺旋状に下上運動する開封刃とからなる注出口栓を有する液体用包装容器であって、
前記キャップには、前記開封刃に回転力を伝動する複数の第１係合フィンが、前記キャップの天板下面から実質的に垂直に設けられ、
前記キャップの内周面と前記スパウトの注出筒の外周面とに、該キャップをその開閉時に螺旋状に上下させる螺合部がそれぞれ設けられ、
前記開封刃には、前記スパウトの注出筒の内周面に設けられた螺合部と螺合して、該キャップの螺旋状上下運動に連動して螺旋状に下上運動する螺合部を外周面に有する円筒部と、該円筒部の下方中心に設けらる突起刃と、該円筒部下縁端から該突起刃を支持しかつ液体用貫通孔を有するテーパー部とを備え、
前記開封刃の円筒部の内周面に上下垂直に、前記キャップの係合フィンと、前記キャップの螺旋状上運動時に係合して回転力を該キャップから該開封刃に伝動し、該キャップの螺旋状下運動時に確実に係合しない第２係合フィンが設けられ、前記テーパー部は、連続的若しくは不連続的に、前記キャップ円筒部下縁端から該突起刃にわたり、急斜面及び緩斜面を有し、
前記注出孔の直径が前記スパウト注出筒の内径より小さい
ことを特徴とする飲料用包装容器。
【発明の詳細な説明】
【０００１】
【発明の属する技術分野】
本発明は、注出口栓及び液体用包装容器に関する。
【０００２】
【従来の技術】
破断可能な封止フィルムで封止された液体用紙容器の注出孔に設けられるスパウトと、スパウトを覆うキャップと、スパウトに内蔵され、キャップに回転開封運動に連動して逆に注出孔へ下方へ運動する開封刃とからなる注出口栓及びその液体用包装容器は、例えば、実開昭６０−　６２０２７、実開昭６３−　８６０２１、実開昭６３−　８６０２２、実開昭６３−１６９４２５、実開昭６３−１６９４２７、実開昭６３−１６９４２８、実開昭６３−１９００３４、実開昭６３−１９４１５３、　実開昭６３−１９７８６２０、　実開昭６３−１９７８２８、　実開昭６３−２０２６４９、　実開昭６３−２０２６５０、実開平０１−　２７２８、　実開平０１−　２７２９、実開平０１−　９１２８、実開平０１−　１１９３０、実開平０１−　２３４７５、　実開平０１−　６６３２４、　実開平０１−　３５８２７、　実開平０１−　３５８２８、実開平０１−　４７６５２、実開平０１−１２２４２９、実開平０１−１２６９２５、　実開平０２−　１６２７、実開平０３−　８１３０、　実開平０３−１１４７２２、　特開平０６−　９２３５３、　特開平０８−１８３５５５、　特開平０９−　１２０２５、　特開平１０−１３９０５７、　特開平１０−１９４２７６、特開平１０−２４５０６４、　特開平１０−２７３１６７、特開平１１−１１５９６２、　特開平１１−１３０１２１、　特開平１１−１３０１２２、　特開平１１−１３９４４９、　特開平１１−２２７８１７、　特開平１１−２２２２３１、　特開２０００−２６４３５９公報などに記載されたものが知られている。
【０００３】
【発明が解決しようとする課題】
破断可能な封止フィルムで封止された液体用紙容器の注出孔に設けられるスパウトと、スパウトを覆うキャップと、スパウトに内蔵され、キャップに回転開封運動に連動して逆に注出孔へ下方へ運動する開封刃とからなる注出口栓及びその液体用包装容器は、開封直後に、連動する開封刃から容易に離脱して取り外すことができなくてはならない。
破断可能な封止フィルムで封止された液体用紙容器の注出孔の位置に正確に、注出口栓が配設しなくは、機能に沿った開封ができない。正確な配設には、製造工程における、液体用紙容器の注出孔の正確な位置決めと注出口栓の正確な接合が必要になる。
小児などの非力な消費者であっても、注出口栓を容易に簡単に開封できることが切望されている。
本発明は、上記の必要性、切望に応えるものであり、開封直後に開封刃から容易に取り外すことができ、液体用紙容器の注出孔の位置に正確に注出口栓が配設しなくても機能に沿って開封ができ、包装材料の製造、容器の包装充填、容器への注出口栓の接合工程において、安定した高い稼働率で、実施することができる注出口栓及び液体用包装容器を提供することを目的とする。
【０００４】
【課題を解決するための手段】
この課題を解決する本発明の注出口栓及び液体用包装容器は、キャップに、開封刃に回転力を伝動する第１係合フィンを、キャップの天板下面から垂直に設け、開封刃に、円筒部と円筒部の下方中心に設けらる突起刃とテーパー部とを備え、開封刃の円筒部の内周面に上下垂直に、第２係合フィンを設け、テーパー部は急斜面及び緩斜面を有し、注出孔の直径がスパウト注出筒の内径より小さいように構成したものである。
これにより、開封直後に開封刃から容易に取り外すことができ、液体用紙容器の注出孔の位置に正確に注出口栓が配設しなくても機能に沿って開封ができ、包装材料の製造、容器の包装充填、容器への注出口栓の接合工程において、安定した高い稼働率で、製造することができる注出口栓及び液体用包装容器が得られる。
【０００５】
【発明の実施の形態】
本発明の請求項１に記載の発明は、破断可能な封止フィルムで封止された液体用紙容器の注出孔に設けられ、注出筒と基部とからなるスパウトと、該スパウトを覆うキャップと、該スパウトに内蔵され、該キャップの螺旋状上下運動に連動して螺旋状に下上運動する開封刃と、からなる注出口栓であって、
前記キャップには、前記開封刃に回転力を伝動する複数の第１係合フィンが、前記キャップの天板下面から実質的に垂直に設けられ、
前記キャップの内周面と前記スパウトの注出筒の外周面とに、該キャップをその開閉時に螺旋状に上下させる螺合部がそれぞれ設けられ、
前記開封刃には、前記スパウトの注出筒の内周面に設けられた螺合部と螺合して、該キャップの螺旋状上下運動に連動して螺旋状に下上運動する螺合部を外周面に有する円筒部と、該円筒部の下方中心に設けらる突起刃と、該円筒部下縁端から該突起刃を支持しかつ液体用貫通孔を有するテーパー部とを備え、
前記開封刃の円筒部の内周面に上下垂直に、前記キャップの係合フィンと、前記キャップの螺旋状上運動時に係合して回転力を該キャップから該開封刃に伝動し、該キャップの螺旋状下運動時に確実に係合しない第２係合フィンが設けられ、前記テーパー部は、連続的若しくは不連続的に、前記キャップ円筒部下縁端から該突起刃にわたり、急斜面及び緩斜面を有する
ことを特徴とする。
【０００６】
請求項２に記載の発明は、破断可能な封止フィルムで封止された注出孔を頂部に有し、該注出孔に設けられ注出筒と基部とからなるスパウトと該スパウトを覆うキャップと該スパウトに内蔵され該キャップの螺旋状上下運動に連動して螺旋状に下上運動する開封刃とからなる注出口栓を有する液体用包装容器であって、前記キャップには、前記開封刃に回転力を伝動する複数の第１係合フィンが、前記キャップの天板下面から実質的に垂直に設けられ、
前記キャップの内周面と前記スパウトの注出筒の外周面とに、該キャップをその開閉時に螺旋状に上下させる螺合部がそれぞれ設けられ、
前記開封刃には、前記スパウトの注出筒の内周面に設けられた螺合部と螺合して、該キャップの螺旋状上下運動に連動して螺旋状に下上運動する螺合部を外周面に有する円筒部と、該円筒部の下方中心に設けらる突起刃と、該円筒部下縁端から該突起刃を支持しかつ液体用貫通孔を有するテーパー部とを備え、
前記開封刃の円筒部の内周面に上下垂直に、前記キャップの係合フィンと、前記キャップの螺旋状上運動時に係合して回転力を該キャップから該開封刃に伝動し、該キャップの螺旋状下運動時に確実に係合しない第２係合フィンが設けられ、前記テーパー部は、連続的若しくは不連続的に、前記キャップ円筒部下縁端から該突起刃にわたり、急斜面及び緩斜面を有し、
前記注出孔の直径が前記スパウト注出筒の内径より小さい
ことを特徴とする。
【０００７】
上記構成を有するこの発明は、以下の様に作用機能する。
この発明における液体用包装容器は、破断可能な封止フィルムで封止された注出孔を頂部に有する。その容器は、紙などの積層包装材料より形成され、その包装材料が容器頂部で穿孔されて注出孔が形成されている。その注出孔がバリア性プラスチックフィルムなどで封止されている。
そのスパウトの基部は、容器頂部であって注出孔の近傍に接合され、注出栓を容器に固着し支持する。スパウトの注出筒は、容器内容物の液体を注ぎ出す通路を形成する。
その開封刃は、スパウトに内蔵され、キャップの開封時の螺旋状上運動に連動して螺旋状に下方運動する。その結果、その開封刃は、注出孔の破断可能な封止フィルムを破断する。
【０００８】
キャップは、スパウトを覆い、注出孔を保護するとともに、開封時にキャップの回転運動が開封刃のフィルム破断力を生む。そのキャップには、複数の第１係合フィンが設けられている。その第１係合フィンがキャップの天板下面から実質的に垂直に設けられ、開封刃に回転力を伝動する。
キャップの内周面と前記スパウトの注出筒の外周面とに、螺旋状に上下させる螺合部、すなわち、ネジ、若しくは、ネジ状突条／溝が、それぞれ設けられている。キャップを回転させることにより、螺合部に沿って螺旋状に上下に滑動する。キャップを開閉することができる。
スパウトには、その注出筒の内周面に設けられた螺合部を有する。開封刃は、その螺合部と、円筒部の外周面の螺合部とで螺合する。その螺合により、キャップの螺旋状上下運動に連動して螺旋状に下上運動する、すなわち、キャップの上昇により、開封刃が下降する。円筒部の下方中心に設けらる突起刃が、先ず、注出孔の封止フィルムの概中央付近の１点を容易に破断する。
テーパー部は、円筒部下縁端から突起刃を機械的に支持するとともに、液体用貫通孔を有するので、開封後に注出時に容器内容物の液体が通過させる。そのテーパー部は、連続的若しくは不連続的に、キャップ円筒部下縁端から突起刃にわたり、急斜面及び緩斜面を有する。このテーパー部は、突起刃の最初の破断後に、緩斜面によりフィルムの破断を拡大し、急斜面により注出孔の端部を内側に押し曲げて、更に注出面積を拡大する。しかも、その押し曲げにより、液体の流出を障害する破断フィルム片も押し退けることができる。
【０００９】
開封刃の円筒部の内周面に上下垂直に設けられた第２係合フィンは、キャップの係合フィンとキャップの螺旋状上運動時に係合して回転力をキャップから開封刃に伝動するが、キャップの螺旋状下運動時に確実に係合しない。その結果、キャップが開封時に上昇回転すると同時に、確実に、開封刃が下方に回転し、フィルムを破断する。開封が終了し、キャップがスパウトから離脱すると、第１係合フィンと第２係合フィンとがいずれも上下垂直に設けられているので、万が一にも、開封刃がスパウト若しくは容器に係合していても、双方が、容易に、上下に離脱する。
注出孔の直径がスパウト注出筒の内径より小さい。その為に、開封刃の中央の突起刃が注出孔のフィルムに位置する限り、容易に、開封機能を発揮することができるので、注出栓を正確に位置決めをする必要が無い。
以下、本発明の実施の形態について、図１から図５を用いて説明する。
【００１０】
（実施の形態１）
図１は、この発明の一実施の形態である注出栓を示す分解側面図である。図１において注出栓は、破断可能な封止フィルム２０で封止された液体用紙容器の注出孔２１に設けられ、注出筒１ａと基部１ｂとからなるスパウト１と、スパウト１を覆うキャップ２と、スパウト１に内蔵され、キャップ２の螺旋状上下運動に連動して螺旋状に下上運動する開封刃３と、からなる。
図３は、この実施形態の注出栓の部分省略分解斜視図である。
キャップ２には、開封刃３に回転力を伝動する複数（４本）の第１係合フィン２ａが、キャップ２の天板下面から実質的に垂直に設けられている。
キャップ２の内周面とスパウト１の注出筒１ａの外周面とに、キャップをその開閉時に螺旋状に上下させる螺合部がそれぞれ設けられている。
開封刃３には、スパウト１の注出筒１ａの内周面に設けられた螺合部と螺合して、キャップ２の螺旋状上下運動に連動して螺旋状に下上運動する螺合部を外周面に有する円筒部３ａと、円筒部の下方中心に設けらる突起刃３ｂ（図３に図示せず）と、円筒部３ａ下縁端から突起刃３ｂを支持しかつ液体用貫通孔を有するテーパー部３ｃ（図３に図示せず）とを備える。
【００１１】
開封刃３の円筒部の内周面に上下垂直に、キャップの係合フィン２ａと、キャップ２の螺旋状上運動時に係合して回転力をキャップ２から開封刃３に伝動し、キャップの螺旋状下運動時に確実に係合しない第２係合フィン３ｄが設けられている。開封刃の概略正面図である図５に示す様に、この形態では、４本のフィン３ｄが形成されている。
図２は、この実施形態の注出栓の分解断面図である。
そのテーパー部ｌ３ｃは、この形態ででは不連続的に、キャップ円筒部３ａ下縁端から突起刃３ｂにわたり、急斜面３ｃ１及び緩斜面３ｃ２を有する。
【００１２】
この形態の注出栓の作用機能を説明する。
図４は、注出栓の開封作用を説明する概略断面図である。図５は、開封刃の概略正面図である。
開封刃３は、スパウト１に内蔵され、キャップ２の開封時の螺旋状上方運動に連動して螺旋状に下方運動する。その結果、その開封刃３は、注出孔の封止フィルム２０を破断する。
すなわち、キャップ２の上昇により、開封刃３が下降する。円筒部３ａの下方中心に設けらる突起刃３ｂが、先ず、注出孔の封止フィルム２０の概中央付近の１点を容易に破断する。
テーパー部３ｃは、突起刃３ｂを機械的に支持するとともに、液体用貫通孔３ｅを有する。液体用貫通孔３ｅから、開封後に注出時に容器内容物の液体が通過する。そのテーパー部３ｃは、不連続的に、急斜面及び緩斜面を有する。このテーパー部３ｃは、突起刃３ｂの最初の破断後に、緩斜面によりフィルムの破断を拡大し、急斜面により注出孔の端部を内側に押し曲げて、更に注出面積を拡大し、その押し曲げにより、液体の流出を障害する破断フィルム片も押し退ける。
【００１３】
開封刃３の円筒部３ａの内周面に上下垂直に設けられた第２係合フィン３ｄは、キャップの係合フィン２ａとキャップの螺旋状上運動時に係合して回転力をキャップから開封刃に伝動する。しかし、キャップの螺旋状下運動時に確実に係合しない。キャップ２が開封時に上昇回転すると同時に、確実に、開封刃３が下方に回転し、フィルムを破断する。開封が終了し、キャップ２がスパウト１から離脱すると、第１係合フィン２ａと第２係合フィン３ｄとがいずれも上下垂直に設けられているので、開封刃３がスパウト１若しくは容器に係合していても、双方が、容易に、上下に離脱する。
注出孔２１の直径がスパウト１注出筒の内径より小さい。その為に、開封刃の中央の突起刃が注出孔のフィルムに位置する限り、容易に、開封機能を発揮することができる。この形態では、注出栓を正確に位置決めをする必要が無い。
【００１４】
【発明の効果】
以上のように本発明によれば、以下の有利な効果が得られる。
液体用紙容器の注出孔の位置に正確に注出口栓が配設しなくても機能に沿って開封ができる。
包装材料の製造、容器の包装充填工程において、安定した高い稼働率で、製造することができるできる。
容器への注出口栓の接合工程において、安定した高い稼働率で、接合することができる。
開封直後に開封刃から容易に取り外すことができる。
【図面の簡単な説明】
【図１】この発明の一実施の形態である注出栓を示す分解側面図
【図２】この実施形態の注出栓の分解断面図
【図３】この実施形態の注出栓の部分省略分解斜視図
【図４】本発明の一実施の形態である注出栓の開封作用を説明する概略断面図
【図５】この実施形態の注出栓の開封刃の概略正面図
【符号の説明】
１　・・・スパウト
２　・・・キャップ
３　・・・開封刃
【図１】
2004067195.tif 000003
【図２】
2004067195.tif 000004
【図３】
2004067195.tif 000005
【図４】
2004067195.tif 000006
【図５】
2004067195.tif 000007